(57)【要約】トルクコンバータは、第１の軸線を中心として回転するフライホイールと、第１の軸線と直交する第２の軸線を中心として回転可能なゼネレータディスクとを具備し、フライホイールは、第１の本体部と、この第１の本体部に設けられた第１の複数の永久磁石であって、それぞれが第１の軸線に対して対応する放射状軸線方向に沿って延在する第１の複数の永久磁石と、第１の本体部に設けられた第２の複数の永久磁石であって、それぞれが第１の複数の永久磁石の対応する隣接対の間に配置された第２の複数の永久磁石と、を具備してなり、ゼネレータディスクは、第２の本体部と、第１および第２の複数の永久磁石に対して磁気的に結び付けられた第２の本体部内の第３の複数の永久磁石と、を具備してなる。
2006517777.tif 000002
【特許請求の範囲】
【請求項１】
第１の軸線を中心として回転するフライホイールと、
前記第１の軸線と直交する第２の軸線を中心として回転可能なゼネレータディスクと、を具備してなるトルクコンバータであって、
前記フライホイールは、
第１の本体部と、
前記第１の本体部に設けられた第１の複数の永久磁石であって、それぞれが、前記第１の軸線に対して対応する放射状軸線方向に沿って延在する第１の複数の永久磁石と、
前記第１の本体部に設けられた第２の複数の永久磁石であって、それぞれが、前記第１の複数の永久磁石の対応する隣接対の間に配置された第２の複数の永久磁石と、を具備してなり、
前記ゼネレータディスクは、
第２の本体部と、
前記第１および第２の複数の永久磁石に対して磁気的に結び付けられた前記第２の本体部内の第３の複数の永久磁石と、を具備してなることを特徴とするトルクコンバータ。
【請求項２】
前記フライホイールは複数の裏当てプレートをさらに具備し、この裏当てプレートのそれぞれは、前記第１の複数の永久磁石のそれぞれに隣接配置されていることを特徴とする請求項１に記載のトルクコンバータ。
【請求項３】
前記裏当てプレートは、前記フライホイールの外周に向かって、前記放射状軸線方向に沿って、磁界強度を強めることを特徴とする請求項２に記載のトルクコンバータ。
【請求項４】
前記第１および第２の複数の永久磁石および前記裏当てプレートは、前記フライホイールの外周に沿って正弦磁力パターンを形成することを特徴とする請求項３に記載のトルクコンバータ。
【請求項５】
前記第３の複数の永久磁石は、前記フライホイールが前記第１の軸線を中心として回転させられた際、前記第１および第２の複数の永久磁石に対して磁気的に結び付けられることを特徴とする請求項４に記載のトルクコンバータ。
【請求項６】
前記正弦磁力パターンの一部は、前記第１および第２の複数の永久磁石のうちの一方と、前記第３の複数の永久磁石との間の領域内で歪められることを特徴とする請求項５に記載のトルクコンバータ。
【請求項７】
前記正弦磁力パターンの前記歪められた部分は、前記フライホイールが前記第１の軸線を中心としてさらに回転させられた際に復元されることを特徴とする請求項６に記載のトルクコンバータ。
【請求項８】
前記フライホイールおよび前記ゼネレータディスクは空隙によって分離されていることを特徴とする請求項１に記載のトルクコンバータ。
【請求項９】
モーターと、
前記モーターに接続されたフライホイールであって、第１の軸線を中心として回転するフライホイールと、
前記第１の軸線と直交する第２の軸線を中心として回転可能であってかつ前記フライホイールに対して磁気的に結び付けられた少なくとも一つのゼネレータディスクと、
前記少なくとも一つのゼネレータディスクに対して接続された少なくとも一つの発電機と、を具備してなる電力発生システムであって、
前記フライホイールは、
第１の本体部と、
前記第１の本体部に設けられた第１の複数の永久磁石であって、それぞれが、前記第１の軸線に対して対応する放射状軸線方向に沿って延在する前記第１の複数の永久磁石と、
前記第１の本体部に設けられた第２の複数の永久磁石であって、それぞれが、前記第１の複数の永久磁石の対応する隣接対の間に配置された第２の複数の永久磁石と、を具備してなり、
前記ゼネレータディスクのそれぞれは、
第２の本体部と、
前記第１および第２の複数の永久磁石に対して磁気的に結び付けられた、前記第２の本体部内の第３の複数の永久磁石と、を具備してなることを特徴とする電力発生システム。
【請求項１０】
前記モーターは第１の駆動シャフトを用いて前記フライホイールに接続されて前記第１の軸線に沿って前記フライホイールを回転させると共に、前記発電機は第２の駆動シャフトを用いて前記ゼネレータディスクに接続されていることを特徴とする請求項９に記載のシステム。
【請求項１１】
前記発電機ディスクは、前記第２の駆動シャフトに接続されたローターおよび複数のステータを具備することを特徴とする請求項１０に記載のシステム。
【請求項１２】
前記少なくとも一つの発電機に接続された可変トランスをさらに具備してなることを特徴とする請求項１１に記載のシステム。
【請求項１３】
前記フライホイールは複数の裏当てプレートをさらに具備してなり、各裏当てプレートは前記第１の複数の永久磁石のそれぞれに隣接配置されていることを特徴とする請求項９に記載のシステム。
【請求項１４】
前記裏当てプレートは、前記フライホイールの外周に向かって前記放射状軸線方向に沿って磁界強度を強めることを特徴とする請求項１３に記載のシステム。
【請求項１５】
前記第１および第２の複数の永久磁石および前記裏当てプレートは、前記フライホイールの外周に沿って正弦磁力パターンを形成すると共に、前記第３の複数の永久磁石は、前記フライホイールが前記第１の軸線を中心として回転させられた際、前記第１および第２の複数の永久磁石と磁気的に結び付けられることを特徴とする請求項１４に記載のシステム。
【請求項１６】
前記正弦磁力パターンの一部は、前記第１および第２の複数の永久磁石のうちの一方と、前記第３の複数の永久磁石との間の領域内で歪められることを特徴とする請求項１５に記載のシステム。
【請求項１７】
前記正弦磁力パターンの前記歪められた部分は、前記フライホイールがさらに前記第１の軸線を中心として回転させられた際に復元されることを特徴とする請求項１６に記載のシステム。
【請求項１８】
前記少なくとも一つのゼネレータディスクディスクは、それぞれ前記フライホイールの外周に沿って配置された複数のゼネレータディスクを具備することを特徴とする請求項９に記載のシステム。
【請求項１９】
第１の複数のゼネレータディスクは、前記第１の軸線と直交する前記第２の軸線を中心として回転可能でありかつ前記フライホイールに対して磁気的に結び付けられており、かつ第２の複数のゼネレータディスクは、前記第１の軸線および前記第２の軸線と直交する第３の軸線を中心として回転可能でありかつ前記フライホイールに対して磁気的に結び付けられていることを特徴とする請求項１８に記載のシステム。
【請求項２０】
前記少なくとも一つの発電機は、それぞれ前記第１の複数のゼネレータディスクの一つに接続された第１の複数の発電機、およびそれぞれ前記第２の複数のゼネレータディスクの一つに接続された第２の複数の発電機を含むことを特徴とする請求項１８に記載のシステム。
【請求項２１】
モーターと、
前記モーターに接続されたフライホイールであって、第１の軸線を中心として回転するフライホイールと、
前記第１の軸線と直交する第２の軸線を中心として回転可能でありかつ前記フライホイールに対して磁気的に結び付けられた少なくとも一つのゼネレータディスクと、を具備してなるトルクをパワーに変換するシステムであって、
前記フライホイールは、
第１の本体部と、
前記第１の本体部に設けられた第１の複数の永久磁石であって、それぞれが、前記第１の軸線に対して対応する放射状軸線方向に沿って延在する第１の複数の永久磁石と、
前記第１の本体部に設けられた第２の複数の永久磁石であって、それぞれが、前記第１の複数の永久磁石の対応する隣接対の間に配置された第２の複数の永久磁石と、を具備してなり、
前記ゼネレータディスクのそれぞれは、
第２の本体部と、
前記第１および第２の複数の永久磁石に対して磁気的に結び付けられた前記第２の本体部内の第３の複数の永久磁石と、
前記第２の軸線を中心として回転する前記第２の本体部に接続された第２の駆動シャフトと、を具備してなることを特徴とするシステム。
【請求項２２】
前記モーターは第１の駆動シャフトを用いて前記フライホイールに接続されて前記第１の軸線に沿って前記フライホイールを回転させることを特徴とする請求項２１に記載のシステム。
【請求項２３】
前記フライホイールは複数の裏当てプレートをさらに具備してなり、各裏当てプレートは前記第１の複数の永久磁石のそれぞれに隣接配置されていることを特徴とする請求項２１に記載のシステム。
【請求項２４】
前記裏当てプレートは、前記フライホイールの外周に向かって前記放射状軸線方向に沿って磁界強度を強めることを特徴とする請求項２３に記載のシステム。
【請求項２５】
前記第１および第２の複数の永久磁石および前記裏当てプレートは、前記フライホイールの外周に沿って正弦磁力パターンを形成すると共に、前記第３の複数の永久磁石は、前記フライホイールが前記第１の軸線を中心として回転させられた際、前記第１および第２の複数の永久磁石と磁気的に結び付けられることを特徴とする請求項２４に記載のシステム。
【請求項２６】
前記正弦磁力パターンの一部は、前記第１および第２の複数の永久磁石のうちの一方と、前記第３の複数の永久磁石との間の領域内で歪められることを特徴とする請求項２５に記載のシステム。
【請求項２７】
前記正弦磁力パターンの前記歪められた部分は、前記フライホイールがさらに前記第１の軸線を中心として回転させられた際に復元されることを特徴とする請求項２６に記載のシステム。
【請求項２８】
前記少なくとも一つのゼネレータディスクディスクは、それぞれ前記フライホイールの外周に沿って配置された複数のゼネレータディスクを具備することを特徴とする請求項２１に記載のシステム。
【請求項２９】
第１の複数のゼネレータディスクは、前記第１の軸線と直交する前記第２の軸線を中心として回転可能でありかつ前記フライホイールに対して磁気的に結び付けられており、かつ第２の複数のゼネレータディスクは、前記第１の軸線および前記第２の軸線と直交する第３の軸線を中心として回転可能でありかつ前記フライホイールに対して磁気的に結び付けられていることを特徴とする請求項２８に記載のシステム。
【発明の詳細な説明】
【技術分野】
【０００１】
本発明はトルクコンバータおよびそれを用いたシステムに関する。さらに詳しく言うと本発明は、永久磁界の圧縮および圧縮解放を基にして所与のトルク入力を増大させることができるトルクコンバータに関する。さらに本発明はトルクコンバータを使用するシステムに関する。
【０００２】
本出願は、２００３年１月１７日に出願された、米国仮特許出願第60/440,622号の利益を主張する。その内容はこの引用によって本明細書に組み込まれる。
【背景技術】
【０００３】
一般に、トルクコンバータは、トルクをフライホイールからゼネレータディスクへと伝達するために、ゼネレータディスクとフライホイールとの間の機械式カップリングを利用する。だが、ゼネレータディスクとフライホイールとの間の摩擦力に起因して、ゼネレータディスクに供給されたエネルギーのいくらかが摩擦エネルギーすなわち熱へと変換され、これがトルクコンバータの効率を低下させている。さらに、摩擦力によってトルクコンバータの全ての可動部品に著しい機械的損耗が生じる。
【発明の開示】
【発明が解決しようとする課題】
【０００４】
したがって本発明は、関連する従来技術の制約および欠点に起因する問題の一つ以上を実質的に回避するトルクコンバータを目的とする。
【０００５】
本発明の目的は、出力の増大をもたらすトルクコンバータを提供することである。
【０００６】
本発明の他の目的は、摩擦損耗を低減するトルクコンバータを使用したシステムを提供することである。
【０００７】
本発明の他の目的は、熱を発生しないトルクコンバータを使用したシステムを提供することである。
【０００８】
本発明の他の目的は、フライホイールとゼネレータディスクとの間の物理的接触を伴わないトルクコンバータを使用したシステムを提供することである。
【０００９】
本発明の他の目的は、フライホイールとゼネレータディスクとの間に物体が挿入されるかあるいは存在することを可能にするトルクコンバータを用いたシステムを提供することである。
【課題を解決するための手段】
【００１０】
本発明の更なる特徴および利点について以下に説明するが、ある程度はこの説明から明白であろう。あるいは本発明の実践によって習得可能である。本発明の目的および他の利点は、添付図面と共に、その詳細な説明および請求項において特に示される構造によって実現されかつ達成されるであろう。
【００１１】
上記および他の利点を実現するため、そして本発明の目的にしたがって、具現化されかつ大まかに説明されるように、トルクコンバータは、第１の軸線を中心として回転するフライホイールと、第１の軸線と直交する第２の軸線を中心として回転可能なゼネレータディスクとを具備し、フライホイールは、第１の本体部と、この第１の本体部に設けられた第１の複数の永久磁石であって、それぞれが第１の軸線に対して対応する放射状軸線方向に沿って延在する第１の複数の永久磁石と、第１の本体部に設けられた第２の複数の永久磁石であって、それぞれが第１の複数の永久磁石の対応する隣接対の間に配置された第２の複数の永久磁石とを具備してなり、ゼネレータディスクは、第２の本体部と、第１および第２の複数の永久磁石に対して磁気的に結び付けられた第２の本体部内の第３の複数の永久磁石とを具備してなる。
【００１２】
他の態様に関して、電力発生システムは、モーターと、このモーターに接続されたフライホイールであって第１の軸線を中心として回転するフライホイールと、第１の軸線と直交する第２の軸線を中心として回転可能であってフライホイールに対して磁気的に結び付けられた少なくとも一つのゼネレータディスクと、ゼネレータディスクに対して接続された発電機とを具備し、フライホイールは、第１の本体部と、この第１の本体部に設けられた第１の複数の永久磁石であって、それぞれが第１の軸線に対して対応する放射状軸線方向に沿って延在する第１の複数の永久磁石と、第１の本体部に設けられた第２の複数の永久磁石であって、それぞれが第１の複数の永久磁石の対応する隣接対の間に配置された第２の複数の永久磁石とを具備してなり、ゼネレータディスクは、第２の本体部と、第１および第２の複数の永久磁石に対して磁気的に結び付けられた第２の本体部内の第３の複数の永久磁石とを具備してなる。
【００１３】
他の態様に関して、トルクをパワーに変換するシステムは、モーターと、このモーターに接続されたフライホイールと、第１の軸線と直交する第２の軸線を中心として回転可能でありかつフライホイールに対して磁気的に結び付けられた少なくとも一つのゼネレータディスクとを具備し、フライホイールは、第１の軸線を中心として回転すると共に、第１の本体部と、この第１の本体部に設けられた第１の複数の永久磁石であって、それぞれが第１の軸線に対して対応する放射状軸線方向に沿って延在する第１の複数の永久磁石と、第１の本体部に設けられた第２の複数の永久磁石であって、それぞれが第１の複数の永久磁石の対応する隣接対の間に配置された第２の複数の永久磁石とを具備してなり、ゼネレータディスクのそれぞれは、第２の本体部と、第１および第２の複数の永久磁石に対して磁気的に結び付けられた第２の本体部内の第３の複数の永久磁石と、第２の軸線を中心として回転する第２の本体部に接続された第２の駆動シャフトとを具備してなる。
【００１４】
先の全般的説明および以下の詳細な説明の両方は代表的かつ説明的なものであり、しかも特許請求された本発明のさらなる説明を提供することを意図するものであるということを理解されたい。
【発明を実施するための最良の形態】
【００１５】
添付図面(これは本発明のさらなる理解をもたらすために含められかつ本出願の一部に含められかつそれを構成する)は、本発明の実施形態を図示し、かつ説明と共に本発明の原理を説明するのに役立つ。
【００１６】
ここで、本発明の図示の実施形態に関して詳しく言及する。その実例は添付図面に示されている。
【００１７】
図１は本発明による典型的なフライホイールのレイアウト図である。図１において、フライホイール１０９は、たとえばナイロンのような複合素材の円柱形コアから形成可能である。しかも、たとえば非磁性ステンレススチールあるいはフェノール素材のような非磁性リング１１６によってフライホイールの周縁に沿って、たがを嵌めることが可能である。フライホイール１０９は、それに等間隔で配された複数の第１の放射状溝１０１内に設置された複数の磁石を具備することができる。ここで各磁石は、たとえば４８mgoe(磁気ガウスエルステッド)またはそれ以上の比較的強い磁界を形成可能である。さらに各磁石は円柱形を有していてもよく、しかも複数の第１の放射状溝１０１のそれぞれの中に配置された、軟鉄またはスチールのような、円柱形の裏当てプレート２０３(図３)によって裏当てされていてもよい。
【００１８】
磁石は、フライホイール１０９の複数の第１の放射状溝１０１内への設置に先立って、約０.０１秒間、約±４８５,５００ワットの電気(４７５ボルト×１０２２アンペア)を不変素材に印加することによってチャージ可能である。これに代えて磁石は、その要求磁気強度に依存して、特定量の電力および／または特定時間の印加によってチャージされてもよい。
【００１９】
図１において、フライホイール１０９はまた、その周面に沿って複数の第２の放射状溝１０７内に配された複数の抑制磁石を具備していてもよく、ここで、抑制磁石の面は非磁性リング１６から引っ込められていてもよい。さらに、複数の第２の放射状溝１０７のそれぞれは複数の第１の溝１０１のそれぞれの間に配置されていてもよい。たとえば、８個の抑制磁石のそれぞれのものが８個の溝１０７のそれぞれの中に配置されてもよく、しかも８個の磁石のそれぞれのものが８個の溝１０１のそれぞれの中に配置されてもよい。もちろん、第１の溝１０１および第２の溝１０７内の磁石の総数は変更可能である。したがって、８個の溝１０７内の抑制磁石およびフライホイール１０９の８個の溝１０１内の磁石は、そのＮ磁界がフライホイール１０９の周囲に面し、かつそのＳ磁界がフライホイール１０９の中心部に向かって半径方向内側を向く。
【００２０】
磁石のＳ極において複数の第１の溝１０１内に配置された磁石の端部に設置された裏当てプレート２０３(図３)は、フライホイール１０９の外周に向う半径方向に沿った磁界強度を強める。したがって、複数の第１の溝１０１内の磁石の磁界と複数の第２の溝１０７内に配置された抑制磁石との相互作用は、図３に示すように、反復弧形状のすなわち正弦曲線の磁界パターン(ＭＦＰ)を、フライホイール１０９の周縁部の周りに形成する。
【００２１】
図２は本発明による典型的なゼネレータディスクのレイアウト図である。図２において、ゼネレータディスク１１１(好ましくはナイロンまたは複合ナイロンディスクからなる)は、ステンレススチールリング１１２によって、たがが嵌められてもよい。ゼネレータディスク１１１は、その中心部Ｃを通る共有中心線ＣＬに沿って互いに対向する二つの矩形磁石３０１を具備していてもよい。ここで、矩形磁石３０１のそれぞれは、ゼネレータディスク１１１の外周部に沿って配置されていてもよい。矩形磁石３０１のそれぞれは、共有中心線と直交する方向に沿って延びる第１の長さＬを有していてもよく、ここで、矩形磁石３０１の厚みは第１の長さより小さなものであってもよい。さらに、矩形磁石３０１のそれぞれは相対的に大きな磁力、たとえば約４８mgoeあるいはそれ以上の磁力を有していてもよい。ここで、ゼネレータディスクの主面と平行な矩形磁石３０１の表面は、Ｓ極またはＮ極のうちの一方であってもよい。磁石３０１の総数は二つであるように示されているが、複数の磁石３０１を使用してもよい。さらに、偶数または奇数個のいずれかの磁石３０１を使用してもよく、しかも磁石３０１間の間隔は所望の磁気形態を得るために調整されてもよい。
【００２２】
図４は本発明によるトルクコンバータの典型的な初期磁気圧縮プロセスの概略図であり、図５は本発明によるトルクコンバータの典型的な磁気圧縮プロセスの概略図であり、そして図６は本発明によるトルクコンバータの典型的な磁気圧縮解放プロセスの概略図である。図４、図５、図６のそれぞれにおいて、概略図はゼネレータディスクの後方から、すなわち矩形磁石３０１を有するゼネレータホイール１１１の面と対向する面から見たものである。しかもフライホイール１０９はゼネレータホイール１１１の後方に配置されている。さらに、フライホイール１０９は下向き時計回り方向に回転し、かつゼネレータホイール１１１は上向き反時計回り方向に沿って回転している。ここでゼネレータディスク１１１は、小さな、たとえば１インチの約８分の３ないし約０.０５０インチの範囲内の空隙によってフライホイール１０９から離間させられてもよい。あるいは、この小さな空隙は特定の用途によって決定されてもよい。たとえば、フライホイールおよびゼネレータディスクのより大きな外形を要するシステムは、より大きなあるいはより小さな空隙を必要としてもよい。同様に、より強力なまたは強力でない磁石を要するシステムは、特定範囲の空隙を有する空隙を必要としてもよい。さらに、説明のために、ここでは複数の第１の溝１０１を単に駆動磁石１０１と呼び、そして複数の第２の溝１０７をここでは単に抑制磁石１０７と呼ぶ。
【００２３】
図４において、ゼネレータディスク１１１に配置された二つの矩形磁石３０１は、駆動磁石１０１によって生じる二つのＮ極間の、フライホイール１０９の磁界パターン(ＭＰＦ)内のスペースの一方に進入し始める。駆動磁石１０１はフライホイール１０９の周囲中心線に沿って配置されてもよく、あるいはフライホイールの周囲に沿ってオフセットした配列状態で配置されてもよい。フライホイール１０９における駆動磁石１０１間の間隙は、Ｓ極磁界がフライホイール１０９の外周に最も近接するＭＦＰのポジションにある。フライホイールが下向き方向に沿って回転するとき、フライホイール１０９の周縁部に面するゼネレータディスク１１１上の矩形磁石３０１のＮ極は、フライホイール１０９の駆動磁石１０１のＮ極によって、はねつけられる。
【００２４】
図５において、いったん、ゼネレータディスク１１１の矩形磁石３０１の一つがフライホイール１０９の二つの隣接する駆動磁石１０１のＮ極間の間隙を直接完全に占有すると、フライホイール１０９上の抑制磁石１０７のより弱いＮ極は、ゼネレータホイール１１１上の矩形磁石３０１のＮ極の存在によって、はねかえされる。ゆえに、ＭＦＰのＮおよびＳ磁界の両方は、ポイントＡ(図７)で示すように、フライホイール１０９の外周の下方で圧縮される。
【００２５】
図６において、ゼネレータディスク１１１上の矩形磁石３０１が、上記ポジションから、そしてフライホイール１０９から離れるように回転し始めると、矩形磁石３０１のＮ極は、フライホイール１０９上の従動駆動磁石１０１のＮ極の斥力によって、およびフライホイール１０９の外周部に沿ってＭＦＰの予め圧縮されたＮおよびＳ磁界の磁気的圧縮解放(すなわちスプリングバック)によって強力に押しやられる。ＭＦＰにおけるＮ極のスプリングバック力(すなわち磁気的解放力)は、矩形磁石３０１がフライホイール１０９から離れるように動く際、ゼネレータディスク１１１の矩形磁石３０１に付加的斥力を提供する。
【００２６】
次に、図４に示すように、別の初期的磁気圧縮プロセスが始まり、そして磁気圧縮および圧縮解放のサイクルが繰り返される。ゆえに、フライホイール１０９およびゼネレータディスク１１１の回転動作は継続する。
【００２７】
図８は本発明によるトルクコンバータを用いた典型的システムの概略図である。図８において、図４ないし図７のトルク変換構造を使用した電力発生用システムは、モーター１０５を含んでいてもよく、このモーター１０５は、可変周波数モーター制御駆動部１０３を用いて電力源１０１によって電力を供給されて、フライホイール１０９に接続されたシャフト４０７を回転駆動する(図４ないし図７にも示す)。さらに、ゼネレータディスク１１１は駆動シャフト１１３に対して接続されてもよく、ここでゼネレータディスク１１１の回転は駆動シャフト１１３の回転を引き起こすことになる。たとえば、駆動シャフト１１３の長手方向軸線は駆動シャフト１０７の長手方向軸線に対して直交するよう配置されてもよい。
【００２８】
図８において、駆動シャフト１１３は、ローター１１９および複数のステータ１１７を具備する発電機に対して接続されてもよい。したがって、ローター１１９の回転によって、発電機が可変トランス１２１へ交流電流出力を発生させてもよい。ゆえに、可変トランス１２１の出力は負荷１２３へ供給されてもよい。
【００２９】
図９は本発明によるトルクコンバータを用いた他の典型的システムの概略図である。図９において、複数のゼネレータディスク１１１は、単一のフライホイール１０９の周りで群れをなし、しかもこのフライホイール１０９によって駆動されてもよい。ここで、ゼネレータディスク１１１はそれぞれ、図８に示す構成と同様のＡＣ発電機に接続されてもよい。
【００３０】
本発明は、可動式電力発生源システムへの応用のために、ステルス技術での応用のための駆動システムとして、可変速度直接駆動システムの代替物として、ポンプ、ファン、およびＨＶＡＣシステム用の駆動システムとして改変可能である。さらに本発明は、摩擦がなく、ギアがなく、かつ／または流体を含まないトランスミッションを必要とする、産業車両、商用車両および住宅向け車両への応用のために改変可能である。さらに本発明は、内部インペラーシステムの駆動を必要とするパイプを介して、摩擦のない流体トランスミッションシステムにおける応用のために改変することができる。さらに本発明は、航空機ファンおよびプロペラ用の駆動力伝達システムを含む航空機の動力システムと同様、搭載型車両バッテリー充電システムにおける応用のために改変することができる。
【００３１】
さらに本発明は、重力がゼロかあるいは低重力環境での応用のために改変可能である。たとえば本発明は、宇宙ステーションおよび惑星間宇宙船用の電力発生システムとしての利用のために応用されてもよい。
【００３２】
本発明の精神あるいは範囲を逸脱することなく、本発明のトルクコンバータおよびそれを用いたシステムに関して、さまざまな改変および変更をなし得ることは当業者には明白であろう。ゆえに、本発明の改変および変更が特許請求の範囲およびその均等の範囲内に入るのであれば、本発明はその改変および変更を包含することを意図する。
【図面の簡単な説明】
【００３３】
【図１】本発明による典型的なフライホイールのレイアウト図である。
【図２】本発明による典型的なゼネレータディスクのレイアウト図である。
【図３】本発明による図１のフライホイールの典型的磁界の概略図である。
【図４】本発明によるトルクコンバータの典型的な初期磁気圧縮プロセスの概略図である。
【図５】本発明によるトルクコンバータの典型的な磁気圧縮プロセスの概略図である。
【図６】本発明によるトルクコンバータの典型的な磁気圧縮解放プロセスの概略図である。
【図７】本発明による図５の磁気圧縮プロセス中の図１のフライホイールの典型的磁力パターンの概略図である。
【図８】本発明によるトルクコンバータを用いた典型的システムの概略図である。
【図９】本発明によるトルクコンバータを用いた他の典型的システムの概略図である。
【符号の説明】
【００３４】
１０１  第１の放射状溝(駆動磁石)
１０３  可変周波数モーター制御駆動部
１０５  モーター
１０７  第２の放射状溝(抑制磁石)
１０９  フライホイール
１１１  ゼネレータディスク
１１２  ステンレススチールリング
１１３  駆動シャフト
１１６  非磁性リング
１１７  ステータ
１１９  ローター
１２１  可変トランス
１２３  負荷
２０３  裏当てプレート
３０１  矩形磁石
４０７  シャフト
【図１】
2006517777.tif 000003
【図２】
2006517777.tif 000004
【図３】
2006517777.tif 000005
【図４】
2006517777.tif 000006
【図５】
2006517777.tif 000007
【図６】
2006517777.tif 000008
【図７】
2006517777.tif 000009
【図８】
2006517777.tif 000010
【図９】
2006517777.tif 000011
【国際調査報告】
2006517777.tif 000012